(57)【要約】【課題】歩きながら簡単に取り外しができ、不使用時に収納の場所をとらないペットボトルホルダーを提供すること。【解決手段】ゴムひもなど伸縮性のあるひも一本で三つの輪を作るだけの、ごく簡易なペットボトルホルダーで、バッグやズボンのベルトに装着して、歩きながら手元を見ずにペットボトルを着脱できる。【選択図】図３
0003134136.tif 000002
【実用新案登録請求の範囲】
【請求項１】
ゴムひもなど伸縮性のある一本のひも状の素材をつなげて作った二つの輪でペットボトルの首部分と胴体部分の二箇所を固定することによって、ペットボトルを簡単に着脱できるペットボトルホルダー。
【請求項２】
ゴムひもとペットボトルの間にできる隙間にバッグやリュックのベルトを通して携行する。胴体部分の輪はペットボトルに固定したままで、首部分だけを着脱して、バッグやズボンのベルトにくぐらせて簡単に取り外しができるペットボトルホルダー。
【請求項３】
首を固定する輪を二箇所作り、丈の短い小さなペットボトルにも対応できる。
【請求項４】
胴体を留める部分にスットパーを取り付けることで、大きなペットボトルにも対応できるようにサイズを調節できる。
【請求項５】
二箇所にフックを取り付けることにより、ズボンのベルト通しなどに、縦にも横にもペットボトルを取り付けることができる。
【考案の詳細な説明】
【技術分野】
【０００１】ペットボトルを持ち歩くときの着脱の容易さと、不使用時の収納しやすさを追求したものである。
【背景技術】
【０００２】特許文献１にはストッパーと紐の組み合わせによる簡易型ペットボトルホルダーが開示されている。【０００３】
【特許文献１】登録実用新案第３１２５３８８号
【考案の開示】
【考案が解決しようとする課題】
【０００４】最近健康増進のためウォーキングをする人が増えているが、給水に欠かせないペットボトルを歩きながら簡単に取り外しできるペットボトルホルダーがない。市販されている既存の保温材付きのショルダーバッグ形式では、使わないときにかさばるのと、すでにショルダーバッグを使用している場合はじゃまになる。ペットボトルの大きさにも限定的にしか対応できない。
【課題を解決するための手段】
【０００５】歩きながらでも簡単に取り外しができ、使わないときにはバッグの中に場所をとらず収納したいという要求を、ゴム紐などの伸縮性のある紐状の素材を使うことで解決した。
ペットボトルの首部分を留める輪の数を増やすことで、一般的な５００ｍｌ入りペットボトルのサイズ以外にも、３５０ｍｌ、２８０ｍｌなどのサイズにも対応させ、また、胴体部分の輪を留めるために長さ調節用のストッパーをつけることで、１リットル入りのペットボトルにも対応できる。フックを二つ付けたことで、横にも留められてさらに安定して取り付けられる。
【考案の効果】
【０００５】ペットボトルの首と胴体の二箇所を固定することで、ペットボトルとホルダーの間にできる隙間にバッグやズボンのベルトを通してペットボトルを携行する。伸縮性があるので、首部分の輪からペットボトルを引き抜くだけで容易にとりはずすことができ、取り付けも簡単にできる。
ショルダーバッグのベルトに取り付ければ、ホルダーを外すことなくペットボトルを口まで持って行き、給水できるという便利さもある。
二つのフックをズボンのベルト通しにひっかけることで横にして携行すると、ブラブラせず安定して携行できる。この場合取り外しは首と胴体の両方で行う必要がある。
【考案を実施するための最良の形態】
【０００５】ゴム紐など伸縮性のある紐を一度輪にし、その輪を一箇所で留めてもう一度輪を作り、反対側をもう一箇所を留めてもう一つ輪を作る。さらに二つの輪の間をもう一度留めて全部で三つの輪を作る。一方の端の輪と真ん中にある輪の直径をペットボトルの首部分の太さに合わせ、その反対側の輪はペットボトルの胴体の太さに合わせる。胴体を留める輪にはストッパーを取り付けて輪の直径を調節できるようにする。二箇所にナス管などのフックを付ける。
【実施例】
【０００６】胴体部分を固定する方の輪をまずペットボトルに装着し、未装着の首部分を固定する輪のある一方の端を、ズボンのベルトやバッグのベルトに通してからペットボトルの首に装着する。（図３）（図５）【０００７】ペットボトルの胴体と首部分の両方を固定し、二つあるフックをズボンのベルト通しそれぞれ引っ掛ける。（図４）
【図面の簡単な説明】
【図１】このペットボトルホルダーの全体を示した平面図である。１  ゴムひもなど伸縮性のあるひも状の素材  ２  ５００ｍｌのペットボトルの首部分を固定する輪を作るための留め金具。  ３  ３５０〜２８０ｍｌのペットボトルの首を固定する輪を作ための留め金具。  ４  フック  ５  ペットボトルの胴体部分を固定する輪のサイズを調節用するためのストッパー。
【図２】このペットボトルホルダーを実際にペットボトルに装着した様子を示した図である。
【図３】このペットボトルホルダーを実際にズボンのベルトへ装着するときの様子を示した図である
【図４】このペットボトルホルダーのフックを実際にズボンのベルト通しに装着した図である
【図５】このペットボトルホルダーを実際にショルダーバッグに装着するときの様子を示した図である
【図１】
0003134136.tif 000003
【図２】
0003134136.tif 000004
【図３】
0003134136.tif 000005
【図４】
0003134136.tif 000006
【図５】
0003134136.tif 000007
【手続補正書】
【提出日】平成19年3月15日(2007.3.15)
【手続補正１】
【補正対象書類名】実用新案登録請求の範囲
【補正対象項目名】全文
【補正方法】変更
【補正の内容】
【実用新案登録請求の範囲】
【請求項１】
ゴムひもなど伸縮性のある一本のひも状の素材をつなげて作った二つの輪でペットボトルの首部分と胴体部分の二箇所を固定することによって、ペットボトルを簡単に着脱できることを特徴とするペットボトルホルダー。
【請求項２】
ゴムひもとペットボトルの間にできる隙間にバッグやリュックのベルトを通して携行するようにし、胴体部分の輪はペットボトルに固定したままで、首部分だけを着脱して、バッグやズボンのベルトにくぐらせて簡単に取り外しができる、請求項１記載のペットボトルホルダー。
【請求項３】
首を固定する輪を二箇所作り、丈の短い小さなペットボトルにも対応できるようにした、請求項１ないし請求項２記載のペットボトルホルダー。
【請求項４】
胴体を留める部分にストッパーを取り付けることで大きなペットボトルにも対応できるようにサイズを調節できるようにした、請求項１ないし請求項３記載のペットボトルホルダー。
【請求項５】
二箇所にフックを取り付けることにより、ズボンのベルト通しなどに、縦にも横にもペットボトルを取り付けることができるようにした、請求項１ないし請求項４記載のペットボトルホルダー。
【手続補正３】
【補正対象書類名】明細書
【補正対象項目名】全文
【補正方法】変更
【補正の内容】
【考案の詳細な説明】
【技術分野】
【０００１】ペットボトルを持ち歩くときの着脱の容易さと、不使用時の収納しやすさを追求したものである。
【背景技術】
【０００２】特許文献１にはストッパーと紐の組み合わせによる簡易型ペットボトルホルダーが開示されている。【０００３】
【特許文献１】登録実用新案第３１２５３８８号
【考案の開示】
【考案が解決しようとする課題】
【０００４】最近健康増進のためウォーキングをする人が増えているが、給水に欠かせないペットボトルを歩きながら簡単に取り外しできるペットボトルホルダーがない。市販されている既存の保温材付きのショルダーバッグ形式では、使わないときにかさばるのと、すでにショルダーバッグを使用している場合はじゃまになる。ペットボトルの大きさにも限定的にしか対応できない。
【課題を解決するための手段】
【０００５】歩きながらでも簡単に取り外しができ、使わないときにはバッグの中に場所をとらず収納したいという要求を、ゴム紐などの伸縮性のある紐状の素材を使うことで解決した。
ペットボトルの首部分を留める輪の数を増やすことで、一般的な５００ｍｌ入りペットボトルのサイズ以外にも、３５０ｍｌ、２８０ｍｌなどのサイズにも対応させ、また、胴体部分の輪を留めるために長さ調節用のストッパーをつけることで、１リットル入りのペットボトルにも対応できる。フックを二つ付けたことで、横にも留められてさらに安定して取り付けられる。
【考案の効果】
【０００６】ペットボトルの首と胴体の二箇所を固定することで、ペットボトルとホルダーの間にできる隙間にバッグやズボンのベルトを通してペットボトルを携行する。伸縮性があるので、首部分の輪からペットボトルを引き抜くだけで容易にとりはずすことができ、取り付けも簡単にできる。
ショルダーバッグのベルトに取り付ければ、外すことなくペットボトルを口まで持って行き、給水できるという便利さもある。
二つのフックをズボンのベルト通しにひっかけることで横にして携行すると、ブラブラせず安定して携行できる。この場合取り外しは首と胴体の両方で行う必要がある。
【考案を実施するための最良の形態】
【０００７】ゴム紐など伸縮性のある紐を一度輪にし、その輪を一箇所で留めてもう一度輪を作り、反対側をもう一箇所を留めてもう一つ輪を作る。さらに二つの輪の間をもう一度留めて全部で三つの輪を作る。一方の端の輪と真ん中にある輪の直径をペットボトルの首部分の太さに合わせ、その反対側の輪はペットボトルの胴体の太さに合わせる。胴体を留める輪にはストッパーを取り付けて輪の直径を調節できるようにする。二箇所にナス管などのフックを付ける。【０００８】図面中１はゴムひもなど伸縮性のあるひも状の素材である。
図面中２は５００ｍｌのペットボトルの首部分を固定する輪を作るための留め金具である。
図面中３は３５０〜２８０ｍｌのペットボトルの首を固定する輪を作るための留め金具である。
図面中４はフックである。
図面中５はペットボトルの胴体部分を固定する輪のサイズを調節するためのストッパーである。
図面中６は胴体部分を固定する輪である。
【実施例】
【０００９】胴体部分を固定する方の輪をまずペットボトルに装着し、未装着の首部分を固定する輪のある一方の端を、ズボンのベルトやバッグのベルトに通してからペットボトルの首に装着する。（図３）（図５）【００１０】ペットボトルの胴体と首部分の両方を固定し、二つあるフックをズボンのベルト通しに、それぞれ引っ掛ける。（図４）
【図面の簡単な説明】
【００１１】
【図１】このペットボトルホルダーの全体を示した平面図である。
【図２】このペットボトルホルダーを実際にペットボトルに装着した様子を示した図である。
【図３】このペットボトルホルダーを実際にズボンのベルトへ装着するときの様子を示した図である
【図４】このペットボトルホルダーのフックを実際にズボンのベルト通しに装着した図である
【図５】このペットボトルホルダーを実際にショルダーバッグに装着するときの様子を示した図である
【符号の説明】
【００１２】１、  ゴム紐など伸縮性のある素材
２、  止め金具
３、  止め金具
４、  フック
５、  ストッパー
６、  胴体部分を固定する輪
【手続補正３】
【補正対象書類名】図面
【補正対象項目名】全図
【補正方法】変更
【補正の内容】
【図１】
0003134136.tif 000008
【図２】
0003134136.tif 000009
【図３】
0003134136.tif 000010
【図４】
0003134136.tif 000011
【図５】
0003134136.tif 000012